(57)【要約】【課題】  換気用ファンを毎日２４時間安定して駆動し続けることができ、しかも、電気代を低く抑えることができる２４時間換気システムを提供する。【解決手段】  風力や太陽光などの自然エネルギーで発電を行う発電機２と、該発電機２で発電した電気を蓄電するバッテリー３とが備えられ、該バッテリー３の電気で換気用ファン１が駆動するようになっている。また、バッテリー３は商用電源８によっても充電されるようになされていて、バッテリー３の蓄電量が所定の蓄電量を下回ったとき、換気用ファン１は、その電気で駆動するようになされている。商用電源８によるバッテリー３の充電は深夜電力の時間帯に行われ、その充電量は、バッテリー３の蓄電量が換気用ファン１を概ね一日駆動するのに要する量となる量に設定されている。【選択図】      図１
2005168101.tif 000002
【特許請求の範囲】
【請求項１】
自然エネルギーで発電を行う発電機と、該発電機で発電した電気を蓄電するバッテリーとが備えられ、該バッテリーの電気で２４時間換気用のファンが駆動するようになされていることを特徴とする自然エネルギーを利用した２４時間換気システム。
【請求項２】
バッテリーの蓄電量が所定の蓄電量を下回ったとき、換気用ファンが商用電源からとりだされた電気で駆動するようになされている請求項１に記載の自然エネルギーを利用した２４時間換気システム。
【請求項３】
商用電源からの電気はバッテリーに蓄電され、その電気で換気用ファンが駆動するようになされており、かつ、商用電源によるバッテリーの充電は深夜電力の時間帯において行われるようになされている請求項２に記載の自然エネルギーを利用した２４時間換気システム。
【請求項４】
バッテリーの蓄電容量が、換気用ファンを概ね一日駆動するのに要する電力量よりも大きく、かつ、
商用電源によるバッテリーへの充電量は、バッテリーの蓄電量が換気用ファンを概ね一日駆動するのに要する量となる量である請求項３に記載の自然エネルギーを利用した２４時間換気システム。
【発明の詳細な説明】
【技術分野】
【０００１】
本発明は、自然エネルギーを利用した２４時間換気システムに関する。
【背景技術】
【０００２】
住宅等の建物において、屋内を毎日２４時間換気することが行われる、あるいは求められるようになってきているが、２４時間換気システムにおいて、換気用のファンの駆動は、商用電源からの電気を用いることで行われている。
【発明の開示】
【発明が解決しようとする課題】
【０００３】
しかしながら、この換気システムでは、換気用ファンを毎日２４時間絶え間なく駆動し続けなければならないため、ひと月の電気代が高くついてしまうという問題がある。
【０００４】
本発明は、上記のような問題点に鑑み、換気用ファンを毎日２４時間安定して駆動し続けることができ、しかも、電気代を低く抑えることができる２４時間換気システムを提供することを課題とする。
【課題を解決するための手段】
【０００５】
上記の課題は、自然エネルギーで発電を行う発電機と、該発電機で発電した電気を蓄電するバッテリーとが備えられ、該バッテリーの電気で２４時間換気用のファンが駆動するようになされていることを特徴とする自然エネルギーを利用した２４時間換気システムによって解決される。なお、自然エネルギーは、例えば、風力、太陽光などからなる。
【０００６】
このシステムでは、自然エネルギーを利用して発電が行われ、その電気で換気用のファンが駆動するようになされているので、商用電力の消費が抑えられて、電気代を低くすることができる。
【０００７】
しかも、発電した電気を蓄電するバッテリーが備えられ、該バッテリーに蓄えられた電気で換気用のファンを駆動するようになされているので、自然エネルギーによる発電が行われている時間帯であるか否かを問わず、換気用ファンをバッテリーに蓄電された電気で駆動し続けることができて、換気用ファンを毎日２４時間安定して駆動し続けることができる。
【０００８】
特に、自然エネルギーから得られる電気によって駆動しようとする対象が、２４時間換気システムにおける換気用ファンであるので、バッテリーの併用のもとで、発電機として、発電量の小さい小型発電機を用いて２４時間換気を実現でき、自然エネルギーを利用した小型発電機の普及を促進することができる。
【０００９】
上記の換気システムにおいて、バッテリーの蓄電量が所定の蓄電量を下回ったとき、換気用ファンが商用電源からとりだされた電気で駆動するようになされているのもよい。この場合は、自然エネルギーによる発電が不足し、バッテリーの蓄電量が少なくなったときであっても、商用電力からの電気で換気用ファンが駆動され、換気用ファンのより安定した駆動を実現することができる。しかも、自然エネルギーから得られる電気と商用電源からの電気を併用する構成であるので、商用電力の消費量を抑えて電気代を低くすることができる。
【００１０】
この換気システムにおいて、商用電源からの電気はバッテリーに蓄電され、その電気で換気用ファンが駆動するようになされており、かつ、商用電源によるバッテリーの充電は深夜電力の時間帯において行われるようになされているのもよい。この場合は、換気用ファンの駆動に商用電力を用いるものでありながら、バッテリーと安価な深夜電力の併用によって電気代を効果的に低く抑えることができる。
【００１１】
この換気システムにおいて、バッテリーの蓄電容量が、換気用ファンを概ね一日駆動するのに要する電力量よりも大きく、かつ、
商用電源によるバッテリーへの充電量は、バッテリーの蓄電量が換気用ファンを概ね一日駆動するのに要する量となる量であるとよい。
【００１２】
このシステムでは、商用電源によるバッテリーへの充電量は、バッテリーの蓄電量が換気ファンを概ね一日駆動するのに要する量となる量であるので、この充電が行われた後、仮に、まる一日程度、自然エネルギーによる発電が行われなかったとしても、換気用ファンが停止してしまうことはなく、しかも、商用電源による充電は充電開始時の蓄電残量に応じて必要最小限度であるので、深夜電力といえども、その電力消費を少なく抑えて電気代を低くすることができる。加えて、まる一日程度経過すると再度深夜電力の時間帯が訪れるので、その時間帯にバッテリーの充電をコスト的に有利に行うことができる。更に、バッテリーの蓄電容量は、換気ファンを概ね一日駆動するのに要する電力量よりも大きいので、深夜電力による充電後に自然エネルギーによる発電が行われた場合であっても、その電気がバッテリーに蓄電され、自然エネルギーの効率の良い利用を実現することができる。
【発明の効果】
【００１３】
本発明は、以上のとおりのものであるから、換気用ファンを毎日２４時間安定して駆動し続けることができ、しかも、電気代を低く抑えることができる。
【発明を実施するための最良の形態】
【００１４】
次に、本発明の実施最良形態を図面に基づいて説明する。
【００１５】
図１に示す実施形態の２４時間換気システムにおいて、１は換気用ファン、２は自然エネルギーで発電を行う発電機、３はバッテリー、４はインバーター等を含むパワーコンディショナーである。
【００１６】
自然エネルギー発電機２は、風車５と風車用発電部６と太陽電池７とを備え、風力と太陽光で発電を行うハイブリッド形の発電機からなり、該発電機２の発電によって得られる電気がバッテリー３に蓄えられ、バッテリー３に蓄えられた電気で換気用ファン１が駆動するようになされている。
【００１７】
また、自然エネルギーによる発電が不足した場合のアシストのため、バッテリー３は商用電源８からの電気によっても充電されるようになされており、バッテリー３の蓄電量が所定の蓄電量を下回ったときに、バッテリー３の充電が商用電源８によって行われ、その電気で換気用ファン１が駆動を続けられるようになされている。
【００１８】
そして、本実施形態では、商用電源８は、例えば午後１１時から午前７時までの電力を割安で利用できる深夜電力利用契約のなされたものからなっていて、商用電源８によるバッテリー３の充電は、制御によって、この深夜電力の時間帯（図２及び図３に示す斜線ハッチング領域１０の時間帯）において行われるようになされている。
【００１９】
深夜電力によるバッテリー３への充電量は、バッテリー３の蓄電量が換気用ファン１を概ね一日駆動するのに要する量となる量に制御されるようになされており、仮に、自然エネルギー発電機２が何日かにわたって発電を行わない場合であっても、商用の深夜電力のみで換気用ファン１が駆動を続けられ、しかも、深夜電力といえども必要以上には商用電力を使用しないようになされている。
【００２０】
また、バッテリー３の充電容量は、換気用ファン１を概ね一日駆動するのに要する電力量よりも大きく設定されていて、商用電力でバッテリー３が充電された直後であっても、自然エネルギーによる発電が行われれば、その電気でバッテリー３が充電されるようになされている。
【００２１】
上記の２４時間換気システムでは、バッテリー３は、換気用ファン１の駆動によって常時放電を行っていく一方で、自然エネルギー発電機２で発電が行われればその充電を行い、また、必要に応じて商用電源８から深夜電力で充電を行う。具体的には、図２に白抜き矢印９で示すように、自然エネルギー発電機２での発電が日々活発に行われる場合には、その電気だけで換気用ファン１は駆動を続け、２４時間換気がコスト的に有利に実現される。
【００２２】
また、図３に示すように、自然エネルギー発電機２による発電が天候等との関係であまり活発ではなく、バッテリー３の蓄電量が、深夜電力の時間帯１０における特定の設定時刻１１において、換気用ファン１を概ね一日駆動するのに要する量を下回っている場合には、バッテリー３は、実線矢印範囲１２で示すように、商用電源８による充電によって、蓄電量が換気用ファン１を概ね一日駆動するのに要する量となるまで充電される。
【００２３】
従って、図３の第４日目の前後の状態から明らかなように、自然エネルギーによる電気の蓄電量が少なく、しかも、自然エネルギーによる発電がなされない場合であっても、商用の深夜電力による充電のみで、換気用ファン１は毎日２４時間換気を続けることができる。
【００２４】
また、図３の第６日目から第７日目にかけての状態から明らかなように、深夜電力による充電完了直後から自然エネルギーによる発電が始まったような場合でも、その電気は、バッテリー３を更に充電していくのに使われ、自然エネルギーと商用電源の併用という構成のなかで自然エネルギーによって得られる電気を有効利用していくことができる。
【００２５】
以上に、本発明の実施形態を示したが、本発明はこれに限られるものではなく、発明思想を逸脱しない範囲で各種の変更が可能である。例えば、上記の実施形態では、商用電源８として、深夜電力利用契約のなされた商用電源を使用し、そこから得られる電気を深夜電力の時間帯においてバッテリー３に充電する場合について示しているが、商用電源は深夜電力の契約をしていない通常の商用電源であってもよいし、商用電源８によるバッテリーの充電開始時刻はいつに設定されていてもよいし、商用電源８によるバッテリー３への充電量は、バッテリー３の蓄電量が換気用ファン１を概ね一日駆動するのに要する量となる量でなくてもよく、例えば二日あるいは三日等に複数日にわたって駆動するのに要する量となる量であってもよいことはいうまでもない。
【００２６】
また、上記の実施形態では、商用電源をバッテリー３の充電に用いた場合を示しているが、バッテリー３の蓄電量が不足したとき、換気用ファンが商用電源からの電気で直接駆動されるようにしてもよい。もちろん、自然エネルギーによる発電電気のみでバッテリーを充電し、その電気だけで換気用ファンを駆動する構成としてもよい。
【図面の簡単な説明】
【００２７】
【図１】実施形態の２４時間換気システムの構成図である。
【図２】換気システムの作動状態の一例を示すもので、横軸を時間、縦軸をバッテリーの蓄電量としたグラフ図である。
【図３】換気システムの作動状態の他の例を示すもので、同じく横軸を時間、縦軸をバッテリーの蓄電量としたグラフ図である。
【符号の説明】
【００２８】
１…換気用ファン
２…自然エネルギー発電機
３…バッテリー
８…商用電源
９…自然エネルギーによる充電
１０…深夜電力の時間帯
１２…商用電力による充電
【図１】
2005168101.tif 000003
【図２】
2005168101.tif 000004
【図３】
2005168101.tif 000005